【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
画像が撮影された場所の位置情報を含む画像情報が入力される画像情報入力部と、
前記位置情報を用いて、基準となる場所から前記画像が撮影された場所までの基準距離を算出する基準距離算出部と、
前記基準距離にもとづいた分類条件を用いて前記画像を分類する画像分類部とを備えたことを特徴とする画像分類装置。
【請求項２】
前記画像は、静止画像および動画像の少なくとも一つを含む請求項１記載の画像分類装置。
【請求項３】
前記画像分類部が前記画像を分類する際に用いるべき、複数の分類条件を記憶する分類条件記憶部を備え、
前記画像分類部は、前記分類条件記憶部に記憶された前記複数の分類条件のうち、前記基準距離に応じた分類条件を用いて前記画像を分類することを特徴とする請求項１または請求項２に記載の画像分類装置。
【請求項４】
前記位置情報から、前記画像の撮影場所と前記画像の直前に撮影された画像の撮影場所との距離間隔を算出する距離間隔算出部を備え、
前記画像分類部は、前記基準距離および前記距離間隔にもとづいて前記画像を分類することを特徴とする請求項１〜請求項３の何れかに記載の画像分類装置。
【請求項５】
前記分類条件は、前記距離間隔の距離間隔閾値を含む分類条件であり、
前記画像分類部は、前記基準距離の違いによって、異なる距離間隔閾値を用いて前記画像を分類することを特徴とする請求項４に記載の画像分類装置。
【請求項６】
前記画像情報は前記画像が撮影された時刻を示す時間情報を有し、
前記時間情報から、前記画像の撮影された時刻と前記画像の直前に撮影された画像の撮影された時刻との時間間隔を算出する時間間隔算出部を備え、
前記画像分類部は、前記基準距離および前記時間間隔にもとづいて前記画像を分類することを特徴とする請求項１〜請求項３の何れかに記載の画像分類装置。
【請求項７】
前記画像が動画像である場合には、前記時間情報は、前記動画像の撮影が開始された時刻を示す請求項６記載の画像分類装置。
【請求項８】
前記分類条件は、前記時間間隔の時間間隔閾値を含む分類条件であり、
前記画像分類部は、前記基準距離の違いによって、異なる時間間隔閾値を用いて前記画像を分類することを特徴とする請求項６または請求項７に記載の画像分類装置。
【請求項９】
前記画像情報は前記画像が撮影された時刻を示す時間情報を有し、
前記時間情報から、前記画像の撮影された時刻と前記画像の直前に撮影された画像の撮影された時刻との時間間隔を算出する時間間隔算出部と、
前記位置情報から、前記画像の撮影場所と前記画像の直前に撮影された画像の撮影場所との距離間隔を算出する距離間隔算出部とを備え、
前記画像分類部は、前記基準距離、前記距離間隔および前記時間間隔にもとづいて前記画像を分類することを特徴とする請求項１〜請求項３の何れかに記載の画像分類装置。
【請求項１０】
前記分類条件は、前記時間間隔の時間間隔閾値および前記距離間隔の距離間隔閾値を含む分類条件であり、
前記画像分類部は、前記基準距離の違いによって、異なる時間間隔閾値および距離間隔閾値を用いて前記画像を分類することを特徴とする請求項９に記載の画像分類装置。
【請求項１１】
複数の地図情報を記憶する地図情報記憶部と、
前記画像分類部で分類されたグループ毎に、前記グループに含まれる画像の前記位置情報から代表位置を算出する代表位置算出部と、
前記グループに含まれる画像の前記位置情報から分布を算出する分布算出部と、
前記代表位置および前記位置情報に応じて前記複数の地図情報から前記グループに適切な地図情報を選択してコメントを作成するコメント作成部とを備えたことを特徴とする請求項１〜請求項８の何れかに記載の画像分類装置。
【請求項１２】
前記地図情報は、住所情報、建物情報およびカレンダ情報からなる群から選ばれる少なくとも一つの情報を含み、前記コメント作成部は、前記群から選ばれる少なくとも一つの情報を用いて前記コメントを作成する請求項１１記載の画像分類装置。
【請求項１３】
前記画像情報は、前記画像が撮影された時刻を示す時間情報を有し、前記コメント作成部は、前記地図情報および前記時間情報を用いて前記コメントを作成する請求項１１または請求項１２記載の画像分類装置。
【請求項１４】
前記コメント作成部は、作成した前記コメントに基づいて、前記グループのファイル名およびフォルダ名の少なくとも一つを作成する請求項１１〜請求項１３の何れかに記載の画像分類装置。
【請求項１５】
前記代表位置算出部は、前記グループに含まれる画像の前記位置情報から形成される幾何学的領域の中心位置、重心位置および頂点位置の少なくとも一つにより、前記代表位置を算出する請求項１１〜請求項１４の何れかに記載の画像分類装置。
【請求項１６】
前記画像分類部の画像分類結果にもとづいて、前記画像を出力する出力部を備えたことを特徴とする請求項１〜請求項１５の何れかに記載の画像分類装置。
【請求項１７】
画像を撮影する画像撮影装置と、
請求項１６に記載の画像分類装置と、
前記画像分類装置から出力された前記画像を表示する表示装置とを備えたことを特徴とする画像分類システム。
【請求項１８】
少なくとも画像と、前記画像が撮影された場所の位置情報とを含む画像情報が入力される第１のステップと、
前記位置情報を用いて、基準となる場所から前記画像が撮影された場所までの基準距離を算出する第２のステップと、
前記基準距離にもとづいて前記画像を分類する第３のステップとを備えたことを特徴とする画像分類方法。
【請求項１９】
コンピュータに、
少なくとも画像と、前記画像が撮影された場所の位置情報とを含む画像情報が入力される第１のステップと、
前記位置情報を用いて、基準となる場所から前記画像が撮影された場所までの基準距離を算出する第２のステップと、
前記基準距離にもとづいて前記画像を分類する第３のステップとを実行させることを特徴とするプログラム。
【請求項２０】
コンピュータに、
少なくとも画像と、前記画像が撮影された場所の位置情報とを含む画像情報が入力される
第１のステップと、
前記位置情報を用いて、基準となる場所から前記画像が撮影された場所までの基準距離を算出する第２のステップと、
前記基準距離にもとづいて前記画像を分類する第３のステップとを実行させるためのプログラムを記録したコンピュータ読み取り可能な記録媒体。
【請求項２１】
基準となる場所から画像が撮影された場所までの距離を基準距離とし、前記画像が撮影された場所が所定の基準距離範囲に含まれる１以上の画像の識別子を、
前記基準距離範囲に対応するリストに登録することを特徴とする画像分類方法。
【請求項２２】
基準となる場所から画像が撮影された場所までの距離を基準距離とし、前記画像が撮影された場所が所定の基準距離範囲に含まれる１以上の画像のデータファイルを、
前記基準距離範囲に対応するフォルダに格納することを特徴とする画像分類方法。
【請求項２３】
基準となる場所から画像が撮影された場所までの距離を基準距離とし、前記画像が撮影された場所が所定の基準距離範囲に含まれる１以上の画像を、
他の画像と区分可能に表示することを特徴とする画像分類方法。
【請求項２４】
前記画像分類部は、前記画像が撮影された撮影場所が所定の基準距離範囲に含まれる１以上の画像の識別子を、前記基準距離範囲に対応するリストに登録することを特徴とする請求項１〜請求項１６の何れかに記載の画像分類装置。
【請求項２５】
前記画像分類部は、前記画像が撮影された撮影場所が所定の基準距離範囲に含まれる１以上の画像のデータファイルを、前記基準距離範囲に対応するフォルダに格納することを特徴とする請求項１〜請求項１６の何れかに記載の画像分類装置。
【請求項２６】
前記画像分類部は、前記画像が撮影された場所が所定の基準距離範囲に含まれる１以上の画像を、他の画像と区分可能に前記出力部に出力することを特徴とする請求項１６に記載の画像分類装置。